【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
プレゼンテーションアプリケーションを用いてプレゼンテーションスライドを生成するための方法であって、
タイトルダイアログボックスと、各小見出しダイアログボックスが１つの小見出しを受信するように構成された複数の小見出しダイアログボックスと、プレゼンテーションスライドを生成するための作成ボタンとを有する主要構造スライドを提供することと、
前記タイトルダイアログボックスにおいてタイトルを受信することと、
複数の小見出しを受信することと、
前記主要構造スライドの前記作成ボタンの選択時に作成要求を受信することと、
前記作成要求を受信した後に、各受信された小見出しに対して少なくとも１つのプレゼンテーションスライドを生成するように前記プレゼンテーションアプリケーションに指示し、入力されたインプットに基づいてナビゲーションプレゼンテーションを行うために各プレゼンテーションスライド上の小見出し領域に配置された各小見出しをハイパーリンクすることと、
前記少なくとも１つのプレゼンテーションスライドを生成することと、
前記生成されたプレゼンテーションスライドを前記プレゼンテーションアプリケーションにおいて表示することと
を備える、方法。
【請求項２】
各プレゼンテーションスライドが、前記受信されたタイトルを表示するタイトルバーをさらに含む、
請求項１に記載の方法。
【請求項３】
第１の小見出しを削除するための削除要求を受信することと、
前記第１の小見出しに対応する前記生成されたプレゼンテーションスライドを削除することと、
各残りのプレゼンテーションスライドから前記第１の小見出しに対応する前記小見出しリンクを削除することと
をさらに備える、請求項１に記載の方法。
【請求項４】
前記タイトルを受信するステップ、前記複数の小見出しを受信するステップ、前記作成要求を受信するステップ、および前記削除要求を受信するステップは全て、前記プレゼンテーションアプリケーションにより提供される前記主要構造スライド上で行われる、請求項３に記載の方法。
【請求項５】
前記生成されたプレゼンテーションスライドが、前記複数の小見出しが受信された順序に対応する表示順で表示され、前記小見出しリンクが、前記複数の小見出しが受信された前記順序に対応する順序で各プレゼンテーションスライド上に表示され、前記方法が、
第１の小見出しを第２の小見出しの後に並べ替えるための並べ替え要求を受信することと、
前記第１の小見出しに対応するプレゼンテーションスライドが前記第２の小見出しに対応するプレゼンテーションスライドの後に表示されるように、前記プレゼンテーションスライドの前記表示順を並べ替えることと、
前記第１の小見出しに対応する小見出しリンクが前記第２の小見出しに対応する小見出しリンクの後に表示されるように、各プレゼンテーションスライド上の前記小見出しリンクを並べ替えることと
をさらに備える、請求項１に記載の方法。
【請求項６】
各受信された小見出しに対して生成された各プレゼンテーションスライドが、前記受信された小見出しに対応する親スライドを備え、前記方法が、
第１の親スライドに対して子スライドを生成することであって、前記子スライドが、前記受信された複数の小見出しの各々に対する複数の小見出しリンクと、前記第１の親スライドの前記受信された小見出しに対応する強調された小見出しリンクとを含む、生成すること
をさらに備える、請求項１に記載の方法。
【請求項７】
前記第１の親スライドに対応する第１の小見出しを削除するための削除要求を受信することと、
前記第１の親スライドを削除することと、
前記子スライドを新しい親スライドに割り当てることと、
各残りのプレゼンテーションスライドから前記第１の小見出しに対応する前記小見出しリンクを削除することと
をさらに備える、請求項６に記載の方法。
【請求項８】
プレゼンテーションアプリケーションを用いてプレゼンテーションスライドを生成するための方法であって、
構造スライドにおいて、タイトルを受信することと、
前記構造スライドにおいて、複数の小見出しを受信することと、
作成要求を受信することと、
前記タイトル、前記複数の小見出し、及び前記作成要求の受信に応じて、前記構造スライドにおいて各受信された小見出しに対して少なくとも１つのプレゼンテーションスライドを自動生成することと、
前記生成されたプレゼンテーションスライドを前記プレゼンテーションアプリケーションにおいて表示することと
を備える、方法。
【請求項９】
プレゼンテーションアプリケーションにおいてスライドを生成するための命令を格納したコンピュータ可読媒体であって、前記命令が、実行されたとき、
タイトルダイアログボックスと、各小見出しダイアログボックスが１つの小見出しを受信するように構成された複数の小見出しダイアログボックスと、プレゼンテーションスライドを生成するための作成ボタンとを有する主要構造スライドを提供することと、
前記タイトルダイアログボックスにおいてタイトルを受信することと、
複数の小見出しを受信することと、
前記主要構造スライドの前記作成ボタンの選択時に作成要求を受信することと、
前記作成要求を受信した後に、各受信された小見出しに対して少なくとも１つのプレゼンテーションスライドを生成するように前記プレゼンテーションアプリケーションに指示し、入力されたインプットに基づいてナビゲーションプレゼンテーションを行うために各プレゼンテーションスライド上の小見出し領域に配置された各小見出しをハイパーリンクすることと、
前記少なくとも１つのプレゼンテーションスライドを生成することと、
前記複数のプレゼンテーションスライドを前記プレゼンテーションアプリケーションにおいて表示することと
を備える方法をコンピューティングデバイスに実施させる、コンピュータ可読媒体。
【請求項１０】
コンピューティングシステムであって、
少なくとも１つのプロセッサと、
前記少なくとも１つのプロセッサにより実行されたとき、プレゼンテーションアプリケーションにおいて新しいプレゼンテーションを作成し編成するための方法を前記コンピューティングシステムに実施させる命令を格納した少なくとも１つのメモリと
を備え、前記方法が、
タイトルダイアログボックスと、各小見出しダイアログボックスが１つの小見出しを受信するように構成された複数の小見出しダイアログボックスと、プレゼンテーションスライドを生成するための作成ボタンとを有する主要構造スライドを提供することと、
前記タイトルダイアログボックスにおいてタイトルを受信することと、
複数の小見出しを受信することと、
前記主要構造スライドの前記作成ボタンの選択時に作成要求を受信することと、
前記作成要求を受信した後に、各受信された小見出しに対して少なくとも１つのプレゼンテーションスライドを生成するように前記プレゼンテーションアプリケーションに指示し、入力されたインプットに基づいてナビゲーションプレゼンテーションを行うために各プレゼンテーションスライド上の小見出し領域に配置された各小見出しをハイパーリンクすることと、
前記少なくとも１つのプレゼンテーションスライドを生成することと、
前記生成されたプレゼンテーションスライドを前記プレゼンテーションアプリケーションにおいて表示することと
を備える、コンピューティングシステム。